(57)【要約】【課題】  所望の記録媒体に、より高速にアクセスすることができる記録媒体チェンジャーを提供する。【解決手段】  記録媒体チェンジャー１００を、収納部１と、駆動部３と、搬送部２と、コンテンツ情報取得部２４とを備える構成とする。そして、コンテンツ情報取得部２４は、駆動部３以外の所定の位置に配置された記録媒体２００から、記録媒体２００に記録されている情報の内容に関するコンテンツ情報を直接取得する。【選択図】  図１
2012221514.tif 000002
【特許請求の範囲】
【請求項１】
記録媒体を複数収納可能な収納部と、
前記記録媒体に記録されている情報を再生する駆動部と、
前記収納部及び前記駆動部の間で前記記録媒体を搬送する搬送部と、
前記駆動部以外の所定の位置に配置された前記記録媒体から、前記記録媒体に記録されている情報の内容に関するコンテンツ情報を直接取得するコンテンツ情報取得部と
を備える記録媒体チェンジャー。
【請求項２】
前記コンテンツ情報取得部が、前記搬送部に保持された前記記録媒体から、前記コンテンツ情報を取得する
請求項１に記載の記録媒体チェンジャー。
【請求項３】
前記記録媒体が、非接触通信機能を有しかつ前記コンテンツ情報を記憶するメモリ素子を備え、
前記コンテンツ情報取得部が、前記メモリ素子と非接触通信して、前記コンテンツ情報を取得する
請求項２に記載の記録媒体チェンジャー。
【請求項４】
前記コンテンツ情報取得部が、前記記録媒体の可動範囲内に位置する前記記録媒体と非接触通信可能な位置に配置されている
請求項３に記載の記録媒体チェンジャー。
【請求項５】
前記メモリ素子が、ＩＣタグである
請求項３に記載の記録媒体チェンジャー。
【請求項６】
前記メモリ素子に、前記収納部における前記記録媒体の収納先のアドレス情報が記録されている
請求項３に記載の記録媒体チェンジャー。
【請求項７】
前記コンテンツ情報取得部が、前記搬送部に設けられている
請求項４に記載の記録媒体チェンジャー。
【請求項８】
記録媒体を複数収納可能な収納部と、前記記録媒体に記録されている情報を再生する駆動部と、前記収納部及び前記駆動部の間で前記記録媒体を搬送する搬送部と、前記記録媒体に記録されている情報の内容に関するコンテンツ情報を取得するコンテンツ情報取得部とを備える記録チェンジャーが、前記記録媒体を前記駆動部以外の所定の位置に配置するステップと、
前記コンテンツ情報取得部が、前記所定の位置に配置された前記記録媒体から、前記記録媒体に記録されている情報の内容に関するコンテンツ情報を直接取得するステップと
を含むコンテンツ情報の読み出し方法。
【発明の詳細な説明】
【技術分野】
【０００１】
本開示は、記録媒体チェンジャー、及び、記録媒体チェンジャーに装填された記録媒体に記録されている情報の内容に関するコンテンツ情報の読み出し方法に関する。
【背景技術】
【０００２】
従来、例えば、放送業界等の分野では、コンテンツ（例えば、画像、音楽、文章、又は、それらの組み合わせた情報など）のバックアップ装置として、記録媒体チェンジャーが利用されている（例えば特許文献１参照）。
【０００３】
特許文献１に記載されている記録媒体チェンジャーは、複数の記録媒体を収納する収納ブロックと、記録媒体に記録されているデータを再生するドライブブロックとを備える。また、特許文献１の記録媒体チェンジャーは、収納ブロックから所望の記録媒体を取り出し、その記録媒体をドライブブロックに搬送する搬送ブロックを備える。さらに、特許文献１の記録媒体チェンジャーは、記録媒体に記録されたデータを外部の記憶装置等に出力する機能も備える。
【先行技術文献】
【特許文献】
【０００４】
【特許文献１】特開２００８−２６２６５９号公報
【発明の概要】
【発明が解決しようとする課題】
【０００５】
ところで、上述した記録媒体チェンジャーでは、所望の記録媒体に、より高速にアクセスすることのできる技術の開発が望まれている。
【０００６】
本開示は、上記要望に応えるためになされたものである。本開示の目的は、所望の記録媒体に、より高速にアクセスすることができる記録媒体チェンジャー、及び、コンテンツ情報の読み出し方法を提供することである。
【課題を解決するための手段】
【０００７】
上記課題を解決するために、本開示の記録媒体チェンジャーは、収納部と、駆動部と、搬送部と、コンテンツ情報取得部とを備える構成とし、各部の機能を次の通りとする。収納部は、記録媒体を複数収納可能である。駆動部は、記録媒体に記録されている情報を再生する。搬送部は、収納部及び駆動部の間で記録媒体を搬送する。そして、コンテンツ情報取得部は、駆動部以外の所定の位置に配置された記録媒体から、記録媒体に記録されている情報の内容に関するコンテンツ情報を直接取得する。
【０００８】
なお、本明細書でいう「コンテンツ情報」とは、記録媒体に記録されているコンテンツそのもののデータ（情報）でなく、例えば、コンテンツのファイル名、コンテンツの題名等の記録媒体に記録されている情報の内容を表す情報のことである。
【０００９】
また、本開示のコンテンツ情報の読み出し方法は、上記本開示の記録媒体チェンジャーにおける記録媒体のコンテンツ情報の読み出し方法であり、次の手順で行う。まず、記録媒体チェンジャーが、記録媒体を駆動部以外の所定の位置に配置する。次いで、コンテンツ情報取得部が、所定の位置に配置された記録媒体から、記録媒体に記録されている情報の内容に関するコンテンツ情報を直接取得する。
【発明の効果】
【００１０】
上述のように、本開示の記録媒体チェンジャー及びコンテンツ情報の読み出し方法では、駆動部以外の所定の位置に配置された記録媒体から該記録媒体に記録されている情報の内容（コンテンツ）を示すコンテンツ情報を直接読み出す。それゆえ、本開示によれば、記録媒体を駆動部に搬送する前に、記録媒体に記録されている情報の内容を把握することができるので、所望の記録媒体に、より高速にアクセスすることができる。
【図面の簡単な説明】
【００１１】
【図１】本開示の一実施形態に係るメディアオートチェンジャーの概略構成図である。
【図２】本開示の一実施形態に係るメディアオートチェンジャーに記録メディアを収納する際の様子を示す図である。
【図３】本開示の一実施形態に係るメディアオートチェンジャーの回路ブロック構成図である。
【図４】本開示の一実施形態に係るメディアオートチェンジャーにおけるコンテンツ情報の読み出し処理及び書き込み処理の手順の一例を示すフローチャートである。
【図５】図４中のステップＳ７内の処理手順を示すフローチャートである。
【発明を実施するための形態】
【００１２】
以下に、本開示の一実施形態に係るメディアオートチェンジャー（記録媒体チェンジャー）、及び、該メディアオートチェンジャーにおけるコンテンツ情報の読み出し手法の一例を、図面を参照しながら下記の順で説明する。ただし、本開示は下記の例に限定されない。
１．メディアオートチェンジャーの構成例
２．メディアオートチェンジャーの動作例
３．各種変形例
【００１３】
＜１．メディアオートチェンジャーの構成例＞
まず、本開示の一実施形態に係るメディアオートチェンジャーの構成を説明する前に、従来のメディアオートチェンジャーにおけるコンテンツ情報の取得手法（管理手法）について簡単に説明する。
【００１４】
メディアオートチェンジャーにおけるコンテンツ情報の取得手法の一つとして、記録メディアのＩＤ（Identification Data）が記録されたバーコードを記録メディアに貼り付け、そのバーコードの情報に基づいて、コンテンツ情報を取得する手法がある。
【００１５】
この手法では、まず、メディアオートチェンジャーは、記録メディアのバーコードに記録されたＩＤを読み出す。次いで、メディアオートチェンジャーは、読み出したＩＤに基づいて、外部に設けられたデータベースを検索し、ＩＤに対応するコンテンツ情報を取得する。バーコードを用いた手法では、このようにしてコンテンツ情報を取得し、記録メディアに記録されている情報の内容（コンテンツ）を把握する。
【００１６】
しかしながら、上述したバーコードを用いた手法では、外部にデータベースを設ける必要がある。さらに、この手法では、記録メディアに貼り付けられたバーコードの情報とデータベース内のコンテンツ情報とを紐付けする必要がある。それゆえ、この手法は、ネットワークに繋がった環境でしか運用することができず、小規模のシステムにおいてこの手法を導入することは難しい。さらに、この手法では、バーコード情報に基づいて、一旦、外部のデータベースに問い合わせを行うので、コンテンツ情報を得るまでに時間がかかる。
【００１７】
すなわち、上述したバーコードを用いた手法では、システムの構成が複雑になり、かつ、コンテンツ情報を高速に取得することが難しい。さらに、この手法では、バーコードに記録されている情報の書き換えができないという欠点もある。
【００１８】
また、従来、記録メディアとしてカセットテープを取り扱うメディアオートチェンジャーでは、通信機能及びメモリ機能を備えるメモリ素子を記録メディアに取り付けて、記録メディア内のコンテンツを管理している。
【００１９】
ただし、このような構成のメディアオートチェンジャーでは、メモリ素子内の各種情報（コンテンツ情報を含む）は、ドライブ装置に記録メディアを装填した状態で読み出される。すなわち、この手法においても、記録メディアに記録されている情報の内容を把握するためには、記録メディアをドライブ装置に装填して再生する必要がある。それゆえ、上述した通信機能及びメモリ機能を備えるメモリ素子を用いた手法においては、記録メディアのコンテンツ情報を取得するまでに時間がかかる。
【００２０】
さらに、この手法では、記録メディアの搬送中に電源が落ちた場合、電源を再起動した直後にコンテンツ情報を取得することができないので、再起動後、電源が落ちる直前の動作を迅速に継続して行うことが難しい。
【００２１】
そこで、本実施形態では、上記各種課題を解決することのできるメディアオートチェンジャーの構成例を説明する。
【００２２】
［メディアオートチェンジャーの構成］
図１及び２に、本開示の一実施形態に係るメディアオートチェンジャーの概略構成を示す。なお、図１は、本実施形態のメディアオートチェンジャーの内部構成を示す図であり、図２は、メディアオートチェンジャーに記録メディアを収納する際の動作の様子を示す図である。また、本実施形態では、例えば光ディスク等のディスク状の記録メディアを取り扱うディスクチェンジャーを例に挙げて説明する。
【００２３】
本実施形態のメディアオートチェンジャー１００（記録媒体チェンジャー）は、収納部１と、搬送部２と、駆動部３と、記憶部４と、表示部５（図１では不図示）と、制御部６と、これらの各部を内部に収納する略直方体状の筐体７とを備える。また、収納部１、搬送部２、駆動部３、記憶部４、表示部５、及び、制御部６は、筐体７内において、後述する各部の機能が適切に実行できるような位置にそれぞれ適宜配置される。なお、各部の配置は、図１に示す例に限定されず、後述する各部の機能を適切に実行することができる配置であれば、任意に設定することができる。
【００２４】
また、メディアオートチェンジャー１００は、オペレータにより記録メディア２００に対して所定の操作（例えば、コンテンツ情報の記録操作等）を行うことのできる操作入力部を備えていてもよい。
【００２５】
以下、メディアオートチェンジャー１００の各部の構成、及び、本実施形態で用いる記録メディア２００（記録媒体）の構成について、より詳細に説明する。
【００２６】
（１）収納部
収納部１は、図２に示すように、２つのメディア収納棚１０と、該２つのメディア収納棚１０を保持する保持部材１１と、蓋体１２とを有する。なお、メディア収納棚１０の個数は、この例に限定されず、例えば用途等の条件に応じて適宜変更することができる。
【００２７】
メディア収納棚１０は、一つの側面に開口部１０ａを有する箱状部材で構成される。メディア収納棚１０には、開口部１０ａを介して、複数の記録メディア２００が挿入されて収納される。この際、複数の記録メディア２００は、図２に示すように、記録メディア２００の上下面が鉛直方向と直交するように積み重ねられて、メディア収納棚１０に収納される。
【００２８】
また、図１及び２には示さないが、メディア収納棚１０の内部には、複数の仕切り部材が設けられ、仕切り部材毎に１枚の記録メディア２００が保持（載置）される。なお、２つのメディア収納棚１０は、所定間隔で保持部材１１上に保持され、各メディア収納棚１０の開口部１０ａが搬送部２と対向するように配置される。
【００２９】
蓋体１２は、筐体７の所定の側面（以下、前面８という）に設けられる。また、蓋体１２は、メディア収納棚１０の配列方向（収納部１の開閉方向：図２中の矢印Ａ１の方向）において、保持部材１１の一方の端部に取り付けられる。
【００３０】
上記構成の収納部１は、筐体７の前面８に対して直交する方向（図２中の矢印Ａ１の方向）に、引き出し（開閉）可能な構成になっている。また、記録メディア２００をメディア収納棚１０に挿入する動作及び記録メディア２００をメディア収納棚１０から取り出す動作（図２中の矢印Ａ２）は、収納部１を筐体７の前面８から外部に引き出した状態で行われる。なお、収納部１の開閉動作は、筐体７の前面に設けられた開閉ボタン９をオペレータが操作することにより行われる。
【００３１】
（２）記録メディア
本実施形態では、記録メディア２００は、例えば光ディスク等の記録ディスク（不図示）と、それを収納するメディア筐体２０１とを備える。そして、本実施形態では、記録メディア２００のメディア筐体２０１の一方の表面（図２に示す例では上面）の所定位置に、外部と非接触通信可能なメモリ素子２０２を設ける。
【００３２】
メモリ素子２０２としては、メモリ機能及び非接触通信機能を備えるメモリ素子であれば、任意のメモリ素子を用いることができる。本実施形態では、メモリ素子２０２として、無線ＩＣ（Integrated Circuit）チップ（以下、ＩＣタグ２０２という）を用いる。
【００３３】
なお、図２には、ＩＣタグ２０２をメディア筐体２０１の一方の表面の角部付近に配置する（貼り付ける）例を示すが、本開示はこれに限定されない。記録メディア２００が搬送部２に保持された状態で、後述のリーダー／ライター２４と非接触通信可能の範囲内であれば、任意の位置にＩＣタグ２０２を配置することができる。
【００３４】
ＩＣタグ２０２には、記録メディア２００に記録されている情報の内容（コンテンツ）に関するコンテンツ情報が記録される。コンテンツ情報としては、上述のように、コンテンツに関する情報であれば、任意の情報を用いることができ、例えば、コンテンツのファイル名、コンテンツの題名等の情報を用いることができる。
【００３５】
なお、メモリ素子（ＩＣタグ２０２）には、上述したコンテンツ情報以外に、例えば、メディア収納棚１０内における記録メディア２００の収納先のアドレス情報を記録してもよい。この場合には、記録メディア２００を収納部１に戻す際に、容易にかつ確実に、記録メディア２００を元の収納先に戻すことができる。ただし、オペレータにより、メディア収納棚１０内における記録メディア２００の収納場所が変更された際には、収納場所の変更毎にメモリ素子（ＩＣタグ２０２）内のアドレス情報も適宜変更する。さらに、メモリ素子（ＩＣタグ２０２）の記憶容量に余裕がある場合には、上述したコンテンツ情報以外に、コンテンツのメタデータなどの情報を記録してもよい。
【００３６】
また、本実施形態では、記録メディア２００にコンテンツが記録されていない場合、少なくとも、その記録メディア２００を特定可能にするＩＤをＩＣタグ２０２に記録する。この場合、ＩＤを後述のリーダー／ライター２４で読み取ることにより、オペレータは、記録メディア２００を駆動部３に搬送する前に、記録メディア２００にコンテンツが記録されていないことを知ることができる。
【００３７】
（３）搬送部
搬送部２は、第１搬送レール２１と、第２搬送レール２２と、搬送機２３と、リーダー／ライター２４（コンテンツ情報取得部）とを有する。
【００３８】
第１搬送レール２１には、搬送機２３が取り付けられ、第１搬送レール２１は、搬送機２３を鉛直方向に移動させる。なお、第１搬送レール２１は、鉛直方向に沿って延在した溝２１ａを有し、搬送機２３をその溝２１ａに沿って鉛直方向に移動させる。
【００３９】
第１搬送レール２１は、搬送機２３でメディア収納棚１０から所望の記録メディア２００を取り出すとき、及び、搬送機２３で記録メディア２００をメディア収納棚１０に収納するときに、搬送機２３を鉛直方向に移動させる。また、第１搬送レール２１は、搬送機２３で後述のドライブ装置３０に記録メディア２００を挿入するとき、及び、搬送機２３でドライブ装置３０から記録メディア２００を取り出すときに、搬送機２３を鉛直方向に移動させる。
【００４０】
第２搬送レール２２は、記録メディア２００を収納部１及び駆動部３の間で搬送する際に、搬送機２３及び第１搬送レール２１を水平方向に搬送する。具体的には、第２搬送レール２２は、記録メディア２００の水平方向の搬送経路に沿って延在した溝２２ａを有し、記録メディア２００を保持した搬送機２３及び第１搬送レール２１をその溝２２ａに沿って水平移動させる。
【００４１】
搬送機２３は、メディア収納棚１０に記録メディア２００を挿入する操作、及び、メディア収納棚１０から記録メディア２００を取り出す操作を行う。また、搬送機２３は、駆動部３内の後述するドライブ装置３０に記録メディア２００を挿入する操作、及び、ドライブ装置３０から記録メディア２００を取り出す操作も行う。さらに、搬送機２３は、搬送中の記録メディア２００を保持する操作も行う。なお、図１には図示しないが、搬送機２３は記録メディア２００をハンドリングするためのピッカーを備えており、上述した搬送機２３の記録メディア２００に対する各種操作は、このピッカーにより行われる。
【００４２】
リーダー／ライター２４は、非接触通信機能を有し、記録メディア２００のＩＣタグ２０２と非接触通信して、ＩＣタグ２０２に記録されている各種情報（コンテンツ情報を含む）の読み出しを行う。具体的には、図１に示す例では、まず、搬送機２３により、記録メディア２００がリーダー／ライター２４の下部に搬送されて保持される。次いで、リーダー／ライター２４は、搬送機２３に保持された記録メディア２００のＩＣタグ２０２と非接触通信して、例えばコンテンツ情報等の各種情報を読み出す。これにより、本実施形態では、記録メディア２００を駆動部３に搬送する前に、記録メディア２００に記録されている情報の内容（コンテンツ）を把握することができる。
【００４３】
また、リーダー／ライター２４は、搬送機２３に保持された記録メディア２００のＩＣタグ２０２に例えばコンテンツ情報等の各種情報を書き込むことができる。さらに、記録メディア２００内のコンテンツが書き換えられた際には、リーダー／ライター２４は、ＩＣタグ２０２内のコンテンツ情報を書き換えることができる。
【００４４】
なお、本実施形態では、リーダー／ライター２４を搬送機２３に取り付ける例を説明するが、本開示はこれに限定されない。搬送機２３に保持された記録メディア２００の可動範囲内に位置する記録メディア２００と非接触通信可能な位置であれば、メディアオートチェンジャー１００内の任意の場所に、リーダー／ライター２４を設置することができる。
【００４５】
（４）駆動部、記憶部及び表示部
駆動部３は、２つのドライブ装置３０を有する。なお、ドライブ装置３０の個数は、この例に限定されず、例えば用途等の条件に応じて適宜変更することができる。
【００４６】
図１に示す例では、２つのドライブ装置３０を鉛直方向に重ねて配置する。また、この例では、記録メディア２００の挿入時及び取り出し時に、ドライブ装置３０の挿入口３０ａと搬送機２３とが対向するように、２つのドライブ装置３０を配置する。
【００４７】
なお、各ドライブ装置３０は、挿入された記録メディア２００のコンテンツを再生する。また、各ドライブ装置３０は、挿入された記録メディア２００に対して、コンテンツデータの書き込み処理及び書き換え処理も行うことができる。
【００４８】
記憶部４は、例えばＨＤＤ（Hard Disk Drive）等の記憶装置で構成される。記憶部４には、例えば、メディアオートチェンジャー１００の動作に必要なプログラムや、収納部１内の各記録メディア２００のＩＣタグ２０２に記録されている各種情報（コンテンツ情報を含む）などが記憶される。
【００４９】
表示部５は、図２に示すように、筐体７の前面８に設けられる。表示部５は、例えば、メディアオートチェンジャー１００の動作状況や、リーダー／ライター２４で読み出されたＩＣタグ２０２内の各種情報（コンテンツ情報を含む）などを表示する。
【００５０】
（５）制御部
制御部６は、例えばＣＰＵ（Central Processing Unit）等の演算装置で構成され、メディアオートチェンジャー１００内の各部の動作全般を制御する。ここで、図３に、本実施形態のメディアオートチェンジャー１００内部の回路ブロック構成を示す。
【００５１】
制御部６は、図３に示すように、収納部１、搬送部２、駆動部３、記憶部４及び表示部５と電気的に接続され、各部の上述した各種動作を制御する。また、制御部６は、例えば、外部の情報処理装置、表示装置、記憶装置等の機器にネットワーク（図３中の破線矢印ＮＷ）を介して接続される。
【００５２】
それゆえ、本実施形態では、例えば、リーダー／ライター２４で読み出された記録メディア２００のコンテンツ情報、ドライブ装置３０で再生された記録メディア２００のコンテンツなどの各種データを外部機器に出力して、外部機器で表示させることができる。また、本実施形態では、記録メディア２００に記憶されたコンテンツのデータファイルを外部機器に出力して、外部機器に記憶させることもできる。さらに、本実施形態では、制御部６と接続された外部機器に設けられた操作部等を用いて、オペレータが外部機器からメディアオートチェンジャー１００に対して各種操作を行うことも可能である。
【００５３】
＜２．メディアオートチェンジャーの動作例＞
次に、本実施形態のメディアオートチェンジャー１００における記録メディア２００のコンテンツ情報の読み出し動作及び書き込み動作の一例を、図４及び５を参照しながら説明する。なお、図４は、メディアオートチェンジャー１００におけるコンテンツ情報の読み出し処理及び書き込み処理の手順を示すフローチャートである。また、図５は、図４中のステップＳ７内の処理手順を示すフローチャートである。
【００５４】
ただし、図４及び５に示す動作例では、記録メディア２００にコンテンツが記録されている場合には、そのコンテンツに対応するコンテンツ情報がＩＣタグ２０２に記録されているものとする。また、記録メディア２００にコンテンツが記録されていない場合には、それを特定するＩＤがＩＣタグ２０２に記録されているものとする。
【００５５】
まず、オペレータは、メディアオートチェンジャー１００の筐体７の前面８に設けられた開閉ボタン９を押して、収納部１を外部に引き出す。そして、オペレータは、メディア収納棚１０に、ＩＣタグ２０２付きの記録メディア２００を挿入する（ステップＳ１）。その後、オペレータは、開閉ボタン９を再度押して、収納部１をメディアオートチェンジャー１００内に装填する。なお、この際、本実施形態では、オペレータが収納部１を押し込むだけで、収納部１がメディアオートチェンジャー１００内に装填される構成にしてもよい。また、記録メディア２００にＩＣタグ２０２が取り付けられていない場合には、ステップＳ１の前段階で、オペレータが、記録メディア２００にＩＣタグ２０２に取り付ける（貼り付ける）。
【００５６】
次いで、搬送機２３は、収納部１から、所定の記録メディア２００を取り出す（ステップＳ２）。そして、リーダー／ライター２４は、搬送機２３に保持された記録メディア２００のＩＣタグ２０２内の情報を読み出す（ステップＳ３）。
【００５７】
次いで、制御部６は、ＩＣタグ２０２内にＩＤが記録されているか否かを判定する（ステップＳ４）。すなわち、制御部６は、ステップＳ４において、記録メディア２００にコンテンツが記録されているか否かを判定する。
【００５８】
ステップＳ４において、ＩＣタグ２０２内にＩＤが記録されていない場合、ステップＳ４はＮＯ判定となる。この場合には、記録メディア２００にコンテンツが記録されているので、制御部６は、ＩＣタグ２０２からコンテンツ情報を取得する（ステップＳ５）。そして、制御部６は、取得したコンテンツ情報に基づき、メディアオートチェンジャー１００内の各部を制御して所定の処理を実施する（ステップＳ６）。例えば、コンテンツ情報を表示部５に表示する、記録メディア２００を駆動部３に搬送してコンテンツを再生する、記録メディア２００を収納部１に戻す等の各種処理を行う。
【００５９】
一方、ステップＳ４において、ＩＣタグ２０２内にＩＤが記録されている場合、ステップＳ４はＹＥＳ判定となる。この場合、記録メディア２００にコンテンツが記録されていないので、メディアオートチェンジャー１００は、記録メディア２００にコンテンツに所定のコンテンツを記録し、その後、ＩＣタグ２０２にコンテンツ情報を書き込む（ステップＳ７）。具体的には、次のような処理（図５に示す処理）を行う。
【００６０】
まず、搬送部２は、記録メディア２００をドライブ装置３０に装填する（ステップＳ１１）。次いで、オペレータが、例えばメディアオートチェンジャー１００に設けられた操作入力部や外部の情報処理装置などを操作して、所定のコンテンツデータを、ドライブ装置３０に装填された記録メディア２００に記録する（ステップＳ１２）。
【００６１】
次いで、ドライブ装置３０は、記録メディア２００に記録されたコンテンツを再生する（ステップＳ１３）。これにより、オペレータは、記録メディア２００に記録された情報の内容を把握することができる。そして、記録メディア２００のコンテンツの再生後、搬送部２は、記録メディア２００をドライブ装置３０から取り出す。
【００６２】
次いで、リーダー／ライター２４は、記録メディア２００が収納部１に収納される前に（記録メディア２００が搬送機２３に保持されている間に）、ステップＳ１３で再生されたコンテンツに対応するコンテンツ情報をＩＣタグ２０２に記録する（ステップＳ１４）。なお、このコンテンツ情報の書き込み操作は、例えば、オペレータがメディアオートチェンジャー１００に設けられた操作入力部や外部の情報処理装置などからメディアオートチェンジャー１００（リーダー／ライター２４）を操作することにより行うことができる。
【００６３】
そして、搬送部２は、記録メディア２００をメディア収納棚１０に戻す（ステップＳ１５）。本実施形態では、このようにして、記録メディア２００のＩＣタグ２０２に記録されたコンテンツ情報の読み出し処理、及び、ＩＣタグ２０２へのコンテンツ情報の書き込み処理を行う。
【００６４】
上述のように、本実施形態のメディアオートチェンジャー１００では、記録メディア２００を搬送部２で保持した状態で（記録メディア２００を駆動部３に装填する前に）、ＩＣタグ２０２からコンテンツ情報を直接読み出す。すなわち、本実施形態では、記録メディア２００を駆動部３にロードしたり、外部のデータベースにアクセスしたりすることなく、記録メディア２００に記録されている情報の内容を把握することができる。
【００６５】
それゆえ、本実施形態では、どの記録メディア２００にどのようなコンテンツが記録されているかを検出する処理（メディアオートチェンジャーの初期化処理）の時間を大幅に短縮することができる。この結果、本実施形態では、所望の記録媒体にアクセスするまでの時間（検索時間）を大幅に短縮することができる。
【００６６】
また、本実施形態のメディアオートチェンジャー１００では、上述のように、記録メディア２００を駆動部３にロードすることなく、記録メディア２００に記録されている情報の内容を把握することができる。それゆえ、搬送部２で保持した記録メディア２００に対して、例えばコンテンツの再生処理等の所定の処理をより迅速に開始することができる。
【００６７】
また、本実施形態では、上述のように、記録メディア２００を搬送部２で保持した状態で記録メディア２００に記録されている情報の内容を把握することができる。それゆえ、例えば、記録メディア２００を搬送部２で保持した状態で電源が落ちた場合（操作中断時）であっても、メディアオートチェンジャー１００を再起動した後、即座に搬送部２で保持されている記録メディア２００のコンテンツ情報を取得することができる。この場合、メディアオートチェンジャー１００を再起動した後、迅速に、操作中断前に実施されていた記録メディア２００に対する動作を継続して実施することができる。
【００６８】
さらに、本実施形態におけるコンテンツ情報の読み出しシステムでは、記録メディア２００にコンテンツ情報を記録したＩＣタグ２０２を取り付け、そのＩＣタグ２０２内のコンテンツ情報をリーダー／ライター２４で読み出すだけの構成である。それゆえ、このような読み出しシステムは、上述した外部のデータベース等の記憶装置にコンテンツ情報を照会するシステムに比べて、簡易な構成となる。また、本実施形態のシステムでは、記録メディア２００をメディアオートチェンジャー１００から外部に取り出した後、例えばハンディＩＣリーダー等の外部のＩＣタグリーダーにより、記録メディア２００のコンテンツ情報を容易に取得することができる。
【００６９】
なお、上述したバーコードを記録メディアに取り付けてコンテンツ情報を取得する従来の手法では、記録メディアに取り付けるメモリ素子（バーコード）内の情報を書き換えることはできない。それに対して、本実施形態のようにメモリ素子としてＩＣタグ２０２を用いた場合には、メモリ素子内の情報を書き換えることができるという利点もある。
【００７０】
＜３．各種変形例＞
次に、上記実施形態のメディアオートチェンジャー１００及びそれによるコンテンツ情報の読み出し手法の変形例を説明する。
【００７１】
［変形例１］
上記実施形態では、ＩＣタグ２０２内の各種情報を読み出す機能（リーダー）と、ＩＣタグ２０２に各種情報を書き込む機能（ライター）とを一体的に設ける例（リーダー／ライター２４）を説明したが、本開示はこれに限定されない。
【００７２】
リーダーと、ライターとが、別個に設けられていてもよい。この場合、少なくともリーダーを、搬送機２３に保持された記録メディア２００と非接触通信可能な範囲内に設けることにより、上記実施形態と同様の効果を得ることができる。
【００７３】
［変形例２］
上記実施形態では、搬送機２３に保持された記録メディア２００のＩＣタグ２０２内の各種情報をリーダー／ライター２４で読み出す例を説明したが、本開示はこれに限定されない。ドライブ装置３０（駆動部３）以外の所定位置に配置（保持）された記録メディア２００からＩＣタグ２０２内の各種情報をリーダー／ライター２４で読み出すことのできる構成であれば、上記実施形態と同様の効果が得られる。
【００７４】
例えば、収納部１に収納された記録メディア２００のＩＣタグ２０２から各種情報をリーダー／ライター２４で読み出す構成にしてもよい。
【００７５】
この場合、例えば、各記録メディア２００の収納段毎にアンテナを設け、アンテナを順次切り替えながら、リーダー／ライター２４及び記録メディア２００間で非接触通信を行い、各記録メディア２００のＩＣタグ２０２内の各種情報を読み出してもよい。ただし、この場合には、ＩＣタグ２０２は、メディア筐体２０１の側面でかつリーダー／ライター２４と対向するような位置に取り付けられることが好ましい。
【００７６】
［変形例３］
上記実施形態では、例えば光ディスク等のディスク状の記録媒体を取り扱うメディアオートチェンジャー１００を例に挙げ説明したが、本開示はこれに限定されない。上記実施形態の構成は、例えば、テープ状の記録媒体、カード型の記録媒体等の他の形態の記録媒体を取り扱うメディアオートチェンジャーにも適用可能であり、その場合も同様の効果が得られる。
【００７７】
なお、本開示は、以下のような構成を取ることもできる。
（１）
記録媒体を複数収納可能な収納部と、
前記記録媒体に記録されている情報を再生する駆動部と、
前記収納部及び前記駆動部の間で前記記録媒体を搬送する搬送部と、
前記駆動部以外の所定の位置に配置された前記記録媒体から、前記記録媒体に記録されている情報の内容に関するコンテンツ情報を直接取得するコンテンツ情報取得部と
を備える記録媒体チェンジャー。
（２）
前記コンテンツ情報取得部が、前記搬送部に保持された前記記録媒体から、前記コンテンツ情報を取得する
（１）に記載の記録媒体チェンジャー。
（３）
前記記録媒体が、非接触通信機能を有しかつ前記コンテンツ情報を記憶するメモリ素子を備え、
前記コンテンツ情報取得部が、前記メモリ素子と非接触通信して、前記コンテンツ情報を取得する
（１）又は（２）に記載の記録媒体チェンジャー。
（４）
前記コンテンツ情報取得部が、前記記録媒体の可動範囲内に位置する前記記録媒体と非接触通信可能な位置に配置されている
（３）に記載の記録媒体チェンジャー。
（５）
前記メモリ素子が、ＩＣタグである
（３）又は（４）に記載の記録媒体チェンジャー。
（６）
前記メモリ素子に、前記収納部における前記記録媒体の収納先のアドレス情報が記録されている
（３）〜（５）のいずれか一項に記載の記録媒体チェンジャー。
（７）
前記コンテンツ情報取得部が、前記搬送部に設けられている
（１）〜（６）のいずれか一項に記載の記録媒体チェンジャー。
（８）
記録媒体を複数収納可能な収納部と、前記記録媒体に記録されている情報を再生する駆動部と、前記収納部及び前記駆動部の間で前記記録媒体を搬送する搬送部と、前記記録媒体に記録されている情報の内容に関するコンテンツ情報を取得するコンテンツ情報取得部とを備える記録チェンジャーが、前記記録媒体を前記駆動部以外の所定の位置に配置するステップと、
前記コンテンツ情報取得部が、前記所定の位置に配置された前記記録媒体から、前記記録媒体に記録されている情報の内容に関するコンテンツ情報を直接取得するステップと
を含むコンテンツ情報の読み出し方法。
【符号の説明】
【００７８】
１…収納部、２…搬送部、３…駆動部、４…記憶部、５…表示部、６…制御部、７…筐体、１０…メディア収納棚、１１…保持部材、１２…蓋体、２１…第１搬送レール、２２…第２搬送レール、２３…搬送機、２４…リーダー／ライター、３０…ドライブ装置、１００…メディアオートチェンジャー、２００…記録メディア、２０１…メディア筐体、２０２…ＩＣタグ
【図１】
2012221514.tif 000003
【図２】
2012221514.tif 000004
【図３】
2012221514.tif 000005
【図４】
2012221514.tif 000006
【図５】
2012221514.tif 000007